(57)【要約】【課題】絶縁ケースの各収容部と高圧タワーとの一体成型に用いる金型を簡素化し、設計の自由度を高め、内燃機関用点火コイルのコストダウンを図る。【解決手段】内燃機関用点火コイル１１を、鉄心１３の周囲に一次コイル１４および二次コイル１５を巻回してなる鉄心−コイル組立体１２と、この鉄心−コイル組立体１２を収容する収容部１７を２つ備えた絶縁ケース１６と、この絶縁ケース１６の収容部１７毎に一体成型によって外側へ突出するように設けられた２つの高圧タワー１８と、この高圧タワー１８内に収容される高圧端子１９と、高圧タワー１８に係合するプロテクタ２１から構成し、特に、これらの２つの高圧タワー１８に、これらを包囲するように周回し、外側に突出した略扁平楕円形状の係合部１８１を設ける。【選択図】図１
2010153463.tif 000002
【特許請求の範囲】
【請求項１】
鉄心の周囲に一次コイルおよび二次コイルを巻回してなる鉄心−コイル組立体と、
この鉄心−コイル組立体を収容する収容部を複数備えた絶縁ケースと、
この絶縁ケースの前記収容部毎に一体成型によって外側へ突出するように設けた複数の高圧タワーと、
これらの高圧タワーを包囲するように周回させ、外側に突出させて設けた係合部と、
この係合部との間で係合する被係合部を設けたプロテクタと、
から構成されることを特徴とする内燃機関用点火コイル。
【発明の詳細な説明】
【技術分野】
【０００１】
この発明は、例えば、自動車のエンジンの点火プラグへ、火花を発生させるための高電圧を供給する内燃機関用点火コイルに関する。
【背景技術】
【０００２】
図３は、従来の内燃機関用点火コイルを説明する概略縦断面図である。
【０００３】
図３において、内燃機関用点火コイル１１は、鉄心−コイル組立体１２と、この鉄心−コイル組立体１２を収容する複数、例えば、２つの収容部１７を有する合成樹脂製の絶縁ケース１６と、この絶縁ケース１６に取り付けられる図示されない一次端子および高圧端子１９と、絶縁ケース１６内に鉄心−コイル組立体１２の構成部品を絶縁しながら固定する熱硬化性樹脂２０とで構成されている。
【０００４】
鉄心−コイル組立体１２は、鉄心１３と、この鉄心１３の一部が挿通される一次コイル１４と、この一次コイル１４と同心状に巻回された二次コイル１５とで構成されている。
【０００５】
絶縁ケース１６は、鉄心−コイル組立体１２を一つずつ、それぞれ収容する２つの収容部１７と、この各収容部１７の一側面にそれぞれ連設され、一次コイル１４の巻線の両端、および二次コイル１５の巻線の一端が接続される図示されない一次端子が取り付けられた図示されないコネクタ部と、各収容部１７の他の側面に連設され、二次コイル１５の巻線の他端が接続される高圧端子１９が取り付けられた円筒状の高圧タワー１８とで構成されている。
【０００６】
高圧タワー１８の外周には、外側へ突出して周回する抜け止め用の環状係合部１８１が設けられている。この環状係合部１８１は、プロテクタ２１の内部に設けられた周回する被係合部２１１に係合することにより、それぞれプロテクタ２１に接続されている。また、プロテクタ２１は、内部に高圧端子１９から供給される高電圧を図示しない点火プラグへ電送する図示しないスプリングを備えている。
【０００７】
このような構成により、従来の内燃機関用点火コイル１１は、エンジンのプラグホールをプロテクタ２１によって閉塞し、プラグホール内に雨水などが浸入するのを防止しつつ、高圧端子１９からスプリングを介して点火プラグへ確実に高電圧を供給することができるようになった。例えば、下記特許文献１にて提案された内燃機関用点火コイルも、これらの効果を期待した発明の一つである。
【特許文献１】特開２００２−３９０４１号公報
【０００８】
ここで、図４（ａ）〜（ｃ）に基づき、従来の内燃機関用点火コイル１１における絶縁ケース１６の各収容部１７と高圧タワー１８とを一体成型する金型について説明する。  
まず、絶縁ケース１６の２つの各収容部１７と高圧タワー１８とを、従来の第１〜第５金型Ｄ〜Ｈを突き合わせて一体成型する。そして、金型割りの場面では、高圧タワー１８の外周に外側へ突出して周回する環状係合部１８１が設けられているがために、図４（ａ）に示すような、従来の第１金型Ｄと従来の第２金型Ｅとを左右方向に割ること、および、従来の第３金型Ｆを下方向に割ること、また、図４（ｃ）に示すような、従来の第４金型Ｇと従来の第５金型Ｈとを左右方向に割ること等、内燃機関用点火コイル１１の前後左右及び下の合計五つの方向へ、それぞれ金型割りを行うことが必要となる。なお、図４（ｂ）には、従来の第１金型Ｄと従来の第２金型Ｅとを左右方向に割ること、および、従来の第４金型Ｇと従来の第５金型Ｈとを前後方向に割ることが説明されている。図４（ａ）〜（ｃ）において二点鎖線で示されるのは、金型の割スジである。
【発明の開示】
【発明が解決しようとする課題】
【０００９】
上記の通り、従来の内燃機関用点火コイル１１は、高圧タワー１８の外周に外側へ突出して周回する環状係合部１８１が設けられているために、図４（ａ）〜（ｃ）に示すとおり、絶縁ケース１６の各収容部１７と高圧タワー１８との一体成型に５種類の金型が必要となって、これにより金型の形状が複雑化し、設計の自由度も低く、金型やその成型機が大型化してコスト高となる問題がある。その結果、内燃機関用点火コイル１１が高価になるという課題があった。
【００１０】
本発明は、上記実情に鑑み提案されたもので、内燃機関用点火コイルにおける高圧タワーの構造を見直して、絶縁ケースの各収容部と高圧タワーとの一体成型に用いる金型を簡素化し、設計の自由度を高めることにより、金型および成型機のコストダウンを図ること、そして内燃機関用点火コイルの全体としてもコストダウンを可能とした内燃機関用点火コイルを提供することを目的とする。
【課題を解決するための手段】
【００１１】
上記目的を達成するために、本発明に係る内燃機関用点火コイルは、鉄心の周囲に一次コイルおよび二次コイルを巻回してなる鉄心−コイル組立体と、この鉄心−コイル組立体を収容する収容部を複数備えた絶縁ケースと、この絶縁ケースの前記収容部毎に一体成型によって外側へ突出するように設けた複数の高圧タワーと、これらの高圧タワーを包囲するように周回させ、外側に突出させて設けた係合部と、この係合部との間で係合する被係合部を設けたプロテクタと、から構成されることを特徴とする。
【発明の効果】
【００１２】
本発明では、内燃機関用点火コイルを、鉄心−コイル組立体を収容する収容部を複数備えた絶縁ケースの収容部毎に、高圧タワーを一体成型によって外側へ突出するように設け、これらの高圧タワーを包囲するようにして外側に突出した係合部を周回させて設けて構成したので、プロテクタとの間の係合強度を従来と同様以上に備えさせつつ、絶縁ケースの各収容部と高圧タワーとの一体成型に用いる金型を簡素化することができ、設計の自由度を高めることができて、金型および成型機のコストダウンを進めて内燃機関用点火コイルのコストダウンを図ることができる。
【発明を実施するための最良の形態】
【００１３】
以下、本発明の一実施形態を図に基づいて説明する。
図１は、本発明の一実施形態である内燃機関用点火コイルの概略縦断面図、図２は、本発明の内燃機関用点火コイルにおける絶縁ケースの各収容部と高圧タワーとの一体成型に用いる金型を説明する説明図であって、（ａ）は、金型に収まった内燃機関用点火コイルを示した概略正面図、（ｂ）は、同概略底面図、（ｃ）は、同右側面図である。なお、図３及び図４に示した内燃機関用点火コイルと同一または相当部分に同一符号を付して説明を省略する。
【００１４】
本発明に係る内燃機関用点火コイル１１は、図１に示すように、鉄心１３の周囲に一次コイル１４および二次コイル１５を巻回してなる鉄心−コイル組立体１２と、この鉄心−コイル組立体１２を収容する収容部１７を複数、例えば、２つ備えた絶縁ケース１６と、この絶縁ケース１６の収容部１７毎に一体成型によって外側へ突出するように設けられた複数、例えば、２つの高圧タワー１８と、この高圧タワー１８内に収容される高圧端子１９と、これらの高圧タワー１８に係合するプロテクタ２１から構成されている。
【００１５】
特に、これらの２つの高圧タワー１８には、これらを包囲するように周回し、外側に突出した略扁平楕円形状の係合部１８１が一体として設けられている。この略扁平楕円状の係合部１８１は、プロテクタ２１の被係合部２１１との間で十分な係合強度を備えて係合することで、高圧タワー１８からプロテクタ２１が抜け落ちることを防いでいる。
【００１６】
プロテクタ２１は、２つの高圧タワー１８を包囲するように周回し、外側に突出した略扁平楕円形状の係合部１８１へ係合する被係合部２１１を備えた絶縁性、例えば合成樹脂製のもので、下側に向けて開放した断面視略コの字状にて一体的に成型されている。
【００１７】
なお、本発明に係る内燃機関用点火コイル１１は、従来と同様、絶縁ケース１６の各収容部１７の一側面に、一次コイル１４の巻線の両端、および二次コイル１５の巻線の一端が接続される図示されない一次端子が取り付けられた図示されないコネクタ部が連設されている。絶縁ケース１６の各収容部１７内には、鉄心−コイル組立体１２の構成部品を絶縁しながら固定する熱硬化性樹脂２０が充填されて固化されていること、プロテクタ２１には、内部に高圧端子１９から供給される高電圧を図示しない点火プラグへ電送する図示しないスプリングが、高圧端子１９に対応して２つ備えられていることも従来と同様である。
【００１８】
ここで、本発明に係る内燃機関用点火コイル１１における絶縁ケース１６の各収容部１７と高圧タワー１８との一体成型に用いる金型について、図２（ａ）〜（ｃ）に基づいて説明する。
【００１９】
本発明に係る内燃機関用点火コイル１１では、絶縁ケース１６の２つの各収容部１７と２つの高圧タワー１８とを、３種類の第１〜第３金型Ａ〜Ｃを突き合わせて一体成型する。その後の金型割りの場面では、２つの高圧タワー１８に一体として設けられている係合部が、２つの高圧タワー１８を包囲するように周回して外側に突出した略扁平楕円形状であるために、図２（ａ）に示すような、第１金型Ａと第２金型Ｂとを左右方向に割ること、および、第３金型Ｃを下方向に割ることで金型割りが完了する。このことは、図２（ｂ）および図２（ｃ）に示すことからも確認することができる。すなわち、従来の内燃機関用点火コイル１１では、前後左右及び下の合計五つの方向へそれぞれ金型割りを行うことが必要となる一方で、本発明に係る内燃機関用点火コイル１１では、左右及び下の合計三つの方向の金型割りで済んで、金型の構造が簡素化されることとなる。
なお、図２（ａ）〜（ｃ）においても二点鎖線で示されるのは、金型の割スジである。
【００２０】
また、第１金型Ａと第２金型Ｂとは、内燃機関用点火コイル１１（絶縁ケース１６）の成型のために、左右から突き合わせた対称の金型であるので、説明上、別の符号を付して説明したが、同一の形状のものとすることが可能である。よって、実際には、金型は２種類を用意すればよいことになって、金型の構造がいよいよ簡素化される。
【００２１】
したがって、本発明に係る内燃機関用点火コイル１１は、鉄心−コイル組立体１２を収容する収容部１７を２つ備えた絶縁ケース１６の収容部１７毎に高圧タワー１８を一体成型によって外側へ突出するように設け、これらの高圧タワー１８を包囲するようにして外側に突出した略扁平楕円形状の係合部１８１を周回させて設け、この係合部１８１にプロテクタ２１の対応する被係合部２１１を係合させて構成したので、プロテクタ２１との間の係合強度を従来と同様以上に備えさせつつ、絶縁ケース１６の各収容部１７と高圧タワー１８との一体成型に用いる金型Ａ〜Ｃを簡素化することができ、設計の自由度を高めることができて、金型Ａ〜Ｃおよび成型機のコストダウンを進めて内燃機関用点火コイルのコストダウンを図ることができる。
【００２２】
なお、上述した実施形態では、絶縁ケース１６の収容部１７を２つ設けた例を説明したが、３つの収容部を設けた実施形態、４つの収容部を設けた実施形態等、出力（エンジン）側から求められる能力に応じて適宜変更することが可能である。この場合、本発明に係る内燃機関用点火コイルは、絶縁ケースの収容部毎に高圧タワー（３つ、４つ）を一体成型によって外側へ突出するように設け、これらの高圧タワー（３つ、４つ）の全部を包囲するようにして周回させ、外側に突出させて係合部を設け、この係合部にプロテクタの対応する被係合部を係合させて構成すればよい。
なお、係合部の形状は、３つの高圧タワーの場合には、略扁平三角形状のものとなり、４つの高圧タワーの場合には、略扁平四角形状のものとなる。
【００２３】
以上、本発明の一実施形態を詳述したが、本発明は、上記一実施形態に限定されるものではない。そして、本発明は、特許請求の範囲に記載された事項を逸脱することがなければ、種々の設計変更を行うことが可能である。
【００２４】
また、本発明は、特許請求の範囲に記載された事項を逸脱しなければ、内燃機関用点火コイルの形状を変えることも可能である。また、本発明の内燃機関用点火コイルの各構成物品に使用する材質等は、公知または周知の素材を使用できることはいうまでもない。
【図面の簡単な説明】
【００２５】
【図１】本発明の一実施形態である内燃機関用点火コイルの概略縦断面図である。
【図２】本発明の内燃機関用点火コイルにおける絶縁ケースの各収容部と高圧タワーとの一体成型に用いる金型を説明する説明図であって、（ａ）は、金型に収まった内燃機関用点火コイルを示した概略正面図、（ｂ）は、同概略底面図、（ｃ）は、同右側面図である。
【図３】従来の内燃機関用点火コイルの概略縦断面図である。
【図４】従来の内燃機関用点火コイルにおける絶縁ケースの各収容部と高圧タワーとの一体成型に用いる金型を説明する説明図であって、（ａ）は、金型に収まった内燃機関用点火コイルを示した概略正面図、（ｂ）は、同概略底面図、（ｃ）は、同右側面図である。
【符号の説明】
【００２６】
１１    内燃機関用点火コイル
１２    鉄心−コイル組立体
１３    鉄心
１４    一次コイル
１５    二次コイル
１６    絶縁ケース
１７    収容部
１８    高圧タワー
１８１  係合部
１９    高圧端子
２０    熱硬化性樹脂
２１    プロテクタ
２１１  被係合部
Ａ〜Ｈ  金型
【図１】
2010153463.tif 000003
【図２】
2010153463.tif 000004
【図３】
2010153463.tif 000005
【図４】
2010153463.tif 000006